(57)【要約】【課題】外部で２値化された画像データの２値化で想定されたメディア種が、記録装置にセットされたメディア種と異なる場合に、外部での２値化をやり直すことなく記録装置側で適正に濃度の低減を行う。【解決手段】外部から入力された２値の画像データに対して、単位面積あたりの各色のインク打ち込み量を算出する。この算出された単位面積あたりの各色のインク打ち込み量を、使用するメディア種のインク打ち込みの限界値と比較する。この比較の結果、限界値を越えた２値画像データに対してインク打ち込みの限界値を越えないように濃度を低減させる。濃度の低減には、そのメディア種の限界値と超過濃度に応じて、予め用意された複数の差分マスクパターンの中から１または複数の差分マスクパターンを組み合わせて用いる。【選択図】図６
2007152776.tif 000002
【特許請求の範囲】
【請求項１】
外部から画像データを入力する画像入力手段と、
印刷する記録媒体の種別情報に基づいてインク打ち込みの限界値を算出する限界値算出手段と、
前記画像入力手段により入力された２値の画像データに対して、単位面積あたりの各色のインク打ち込み量を算出する打ち込み量算出手段と、
算出された単位面積あたりの各色のインク打ち込み量を、使用するメディア種のインク打ち込みの限界値と比較する比較手段と、
前記限界値を越えた２値画像データに対してインク打ち込みの限界値を越えないように濃度を低減させる濃度低減手段と
を具備していることを特徴とするインクジェット記録装置。
【請求項２】
前記濃度低減手段は、単位面積あたり所定のドット数分のドットを間引くマスクパターンを含むことを特徴とする請求項１記載のインクジェット記録装置。
【請求項３】
インク打ち込みの限界値の異なる複数のメディア種について、前記マスクパターンとして、隣接する限界値を有するメディア種間毎に濃度低減用の差分マスクパターンを用意し、濃度低減時には必要に応じて複数の差分マスクパターンを組み合わせて用いることを特徴とする請求項２記載のインクジェット記録装置。
【請求項４】
複数のインク色の画像データを有する場合、各インク色について差分マスクパターンを設け、当該各インク色の差分マスクパターンに対して間引きドットを分散させることを特徴とする請求項２または３記載のインクジェット記録装置。
【請求項５】
前記複数の差分マスクパターンは、それぞれの間引きドット位置が互いに重複しないように構成されたことを特徴とする請求項３に記載のインクジェット記録装置。
【発明の詳細な説明】
【技術分野】
【０００１】
本発明は、インクジェット画像装置に関し、特に、２値の外部画像データ入力手段を具備したインクジェット記録装置に関するものである。
【背景技術】
【０００２】
従来、インクジェット記録装置の記録媒体（メディア）の種類に応じて単位面積当たりの最大インク打ち込み量を越えないようにする手法として、特許文献１に開示のように、解像度、記録媒体を含む記録条件および環境条件に応じて、１画素当たりの最大インク打ち込み量を越えない範囲のインク滴が吐出できる駆動条件を決定し、記録用の２値データを作成する方式が知られている。
【０００３】
最近時においては、入力画像データが多値、２値混在においても印刷可能である装置が増えてきている。特許文献２に記載のように入力画像データが多値、２値混在であっても同じデータ形式で扱ってデータ処理し、両者における処理を効率的に実現できる技術が提案されている。
【０００４】
さらに、インクの色がイエロー（Ｙ），マゼンタ（Ｍ），シアン（Ｃ），ブラック（Ｋ）の４色からライトシアン（Ｌｃ）、ライトマゼンタ（Ｌｍ）の淡色系を増やして６色になり、色再現の向上が行われている。この６色の印刷濃度の決定方法については、例えば特許文献３のように同系色で濃度の異なる複数のインクの打ち込み量の組み合わせを画像データの入力濃度レベルと記録媒体のインク吸収量の限界値および色相が異なる他のインクの単位面積当たりの打ち込み量とで決定する手法が知られている。
【特許文献１】特開平８−７２２３６号公報
【特許文献２】特開平１１−３３１５８５号公報
【特許文献３】特開２００２−２００７７８号公報
【発明の開示】
【発明が解決しようとする課題】
【０００５】
しかしながら、特許文献１、特許文献３に開示の手法は、多値から２値に変換する際に用いられる手法であり、すでに２値化された画像データを受信した場合に当たらない。
【０００６】
外部入力データがすでに２値化された画像データの場合、データ自身の２値化手法で想定された記録媒体と、インクジェット記録装置に装着された、実際に使用される記録媒体との食い違いが発生する可能性がある。このような場合、当該記録媒体に対して最大インク打ち込み量を越えた状態で印刷を行って、印刷ムラを発生させてしまい、結局はその印刷物を破棄せざるをえない状況を招いてしまうおそれがあった。
【０００７】
本発明はこのような背景においてなされたものであり、その目的は、外部で２値化された画像データの２値化で想定されたメディア種が、記録装置にセットされたメディア種と異なる場合に、外部での２値化をやり直すことなく記録装置側で適正に濃度の低減を行うことができるインクジェット記録装置を提供することにある。
【課題を解決するための手段】
【０００８】
本発明によるインクジェット記録装置は、外部から画像データを入力する画像入力手段と、印刷する記録媒体の種別情報に基づいてインク打ち込みの限界値を算出する限界値算出手段と、前記画像入力手段により入力された２値の画像データに対して、単位面積あたりの各色のインク打ち込み量を算出する打ち込み量算出手段と、算出された単位面積あたりの各色のインク打ち込み量を、使用するメディア種のインク打ち込みの限界値と比較する比較手段と、前記限界値を越えた２値画像データに対してインク打ち込みの限界値を越えないように濃度を低減させる濃度低減手段とを備えたものである。
【０００９】
前記画像入力手段により２値の画像データが入力された場合に、単位面積あたりの各色のインク打ち込み量を算出して、この算出された単位面積あたりの各色のインク打ち込み量を、使用するメディア種のインク打ち込みの限界値と比較することにより、外部で作成された２値画像データが当該使用するメディア種に対応しておらず、当該メディア種の打ち込み限界値を超える場合を検知できる。このような場合に、前記濃度低減手段により、２値画像データに対してインク打ち込みの限界値を越えないように濃度を低減させることにより、外部での２値化をやり直すことなく記録装置側で適正に濃度の低減を行うことができる。
【００１０】
前記濃度低減手段は、例えば、単位面積あたり所定のドット数分のドットを間引くマスクパターンを含み、このマスクパターンを画像データに適用することにより濃度の低減が図れる。
【００１１】
より具体的には、インク打ち込みの限界値の異なる複数のメディア種について、前記マスクパターンとして、隣接する限界値を有するメディア種間毎に濃度低減用の差分マスクパターンを用意し、濃度低減時には必要に応じて複数の差分マスクパターンを組み合わせて用いる。これによって、必要とされるマスクパターンの個数が大幅に削減される。
【００１２】
複数のインク色の画像データを有する場合、各インク色について差分マスクパターンを設け、当該各インク色の差分マスクパターンに対して間引きドットを分散させることが好ましい。これにより、画像の色味が極力変わらないようにすることができる。
【００１３】
前記複数の差分マスクパターンは、それぞれの間引きドット位置が互いに重複しないように構成することが好ましい。これによって、複数の差分マスクパターンを組み合わせる場合に、同じ画素位置のドットを間引きの対象とすることが避けられる。
【発明の効果】
【００１４】
本発明のインクジェット記録装置によれば、インク打ち込み制限をインクジェット記録装置側で行うため、すでに作成されている２値画像データに対して、外部で再度画像データを作りなおす必要がなく、印刷ムラの発生を防止することができる。
【発明を実施するための最良の形態】
【００１５】
以下、本発明を実施するための最良の形態を説明する。なお、以下に説明する実施の形態は説明のためのものであり、本願発明の範囲を制限するものではない。
【００１６】
図１は、本発明のインクジェット記録装置の構成を示すブロック図である。このインクジェット記録装置は、装置全体の動作を制御するＣＰＵ１１、このＣＰＵ１１の作業領域およびデータの一時記憶領域として利用されるメモリであるＲＡＭ１２、インクジェット記録装置を駆動するためのプログラムやデータが書き込まれている再書き込み可能な不揮発性メモリであるＦｌａｓｈメモリ（ＲＯＭ）１３、外部のコンピュータ端末装置等と接続するためのインタフェース部１４、マンマシンインタフェースのための表示を行うＬＣＤ表示装置１５、インクジェット記録装置の各種設定を選択するためのキー操作部１６、インクジェットヘッドによる印刷部１７、ＣＰＵ１１と他の各要素とを接続するシステムバス１８、メディアの搬送を行うメディア搬送部１９を備える。インタフェース部１４は本発明の画像入力手段を構成している。ＣＰＵ１１は、本発明の限界値算出手段、打ち込み量算出手段、比較手段、および濃度低減手段を構成している。
【００１７】
本実施の形態では印刷部１７のインクジェットヘッドには、複数のヘッド（例えばブラック、シアン、マゼンタ、イエロー、ライトシアン、ライトマゼンタの６色のヘッド）がある。各ヘッドは、複数（例えば１２８０）のノズルを有し、２値化された画像データに対応してインク滴を吐出する。
【００１８】
図２は、本発明のメディア種ごとの最大インク打ち込み限界値の一例を表した限界値テーブル１００を示している。最大インク打ち込み限界値とは、メディア上の１画素のインク吐出地点に対して、打ち込みが許容される最大のインク量である。インク量は濃度で表し、２値の“１”に対応して１つのインクノズルから吐出される１ドット分のインクが１００％に相当する。通常、フルカラーのインクジェット記録装置では上述のように複数色のインクを充填した複数の記録ヘッドを用い、同じ吐出地点に対して異なる色のインクを重ねて吐出できるようになっている。そのため、６色の記録ヘッドを用いる場合には全記録ヘッドから同じ吐出地点にインクを吐出すると、その地点の濃度は６００％となる。図から分かるように、メディアの種類によって１吐出地点に許容される打ち込み限界値が異なっている。また、この限界値はインク滴のサイズによっても異なるので、記録ヘッドの仕様によっても変化する。
【００１９】
通常、多値データを２値化するときには、１画素あたりの最大インク打ち込み量が図２に示されている限界値を越えることはないように、記録媒体に応じて多値・２値変換のデータ処理が行われる。
【００２０】
図３は、ホストコンピュータから受信した画像データに、１画素あたりに重複したインクの吐出が存在する場合、特に打ち込み量４００％以上の画素が存在する場合の画像データの置き換えを行うための置き換えデータテーブル２００の一例を示している。このような打ち込み量４００％以上の画素を含む２値画像データは、全くメディアを意識することなく作成されたものであり、当該画素は、この置き換えデータテーブル２００に従ってすべて黒１００％に置き換えられる。
【００２１】
図４は、受信した画像データに、１画素あたりに重複したインクの吐出が存在する場合、特に打ち込み量２００％〜３００％の画素が存在する場合の画像データの置き換えを行うための置き換えデータテーブル３００の一例を示している。このような打ち込み量２００％，３００％画素を含む２値画像データも、メディアを意識することなく作成されたものである。但し、４００％以上の場合と異なり、重複吐出の結果は必ずも黒ではないので、吐出する複数のインクの組み合わせの色に近い１色のインク１００％に置き換えている。
【００２２】
図５は、本実施の形態における処理概要を示すフローチャートである。まず、ホストコンピュータからの外部データ受信を認識すると、メモリ（ＲＡＭ）上に設けられた異常打ち込みフラグを初期化（０）する（Ｓ１１）。そこで、外部から受信した画像データが２値データであるかどうかを判別する（Ｓ１２）。多値データであれば通常の２値化処理を行う（Ｓ１３）。この場合、１画素あたりの最大インク打ち込み量が図２に示されている限界値を越えないように２値化処理が行われる。
【００２３】
受信した画像データが２値データであれば、Ｋ，Ｃ，Ｍ，Ｙ，Ｌｃ，Ｌｍの６プレーンのメモリ（ＲＡＭ）上にこの２値データを配置（展開）する（Ｓ１４）。
【００２４】
次に、異常打ち込みフラグが“１”かどうかをチェックする（Ｓ１５）。印刷開始時に異常打ち込みフラグはステップＳ１１で“０”に初期化されているので、ステップＳ１６へ進む。そこで、１画素重複検索処理を行う。この重複検索処理では、各１２８ラインのメモリ上に置かれたデータを３２ビット単位にて６プレーン分のビット検索を行う。本実施の形態では、主走査方向の解像度が６００ＤＰＩ、副走査方向の解像度が１２００ＤＰＩのヘッドを使用し、インク種が６種類存在し、印刷幅が３６インチ、１２８ラインのプレーンメモリを使用して実現している。使用メモリ容量は  （６００×３６×６×１２８）／８  バイトである。本実施の形態ではインクの打ち込み「有り」がメモリ上の“１”として定義してある。６プレーン分のビット検索とは、同じ位置に（同じビット位置に）“１”が存在するかどうかを判断し、“１”が１プレーン存在すれば１００％打ち込みで、２プレーン存在すれば２００％打ち込みである。同様に６プレーン存在すれば６００％打ち込みである。
【００２５】
１画素重複検索処理で４００％以上の打ち込みが１画素でも存在すれば（Ｓ１７，Ｙｅｓ）、異常打ち込みと判断して異常打ち込みフラグを“１”にセットし（Ｓ１８）、当該画素について１００％打ち込み制限処理を行う（Ｓ１９）。  濃度が４００％以上の重複にて異常打ち込みと判断するのは、図２の限界値テーブル１００でメディアごとの最大打ち込み限界値が２２０％であるために３００％打ち込みまでは存在しているためである。
【００２６】
なお、本実施の形態以外でメディアの最大打ち込みがさらに大きく４００％以上も可能な場合もありうる。その場合の異常打ち込みの認識は、当然ながら４００％から変更するだけでよい。さらにインク種類が６種類での実施の形態であるためインク種類が違う場合もそれにあわせた閾値を設ける。
【００２７】
ステップＳ１９の１００％打ち込み制限処理は、４００％以上の画素について、図３に示した１画素あたりに重複インク種の吐出が存在したときの置き換えデータテーブル２００のとおりにＢｌａｃｋ１色に変換し、他の色の打ち込みを行なわないようにする。３００％時と２００％時の変換方法では、図４に示した置き換えデータテーブル３００に示すとおりにインクの置き換えを行う。
【００２８】
なお、図３、図４の置き換えデータテーブル２００，３００に示した置き換え方法は本実施の形態に適したものであるが、インクの種類、例えば、染料インク、顔料インク等、成分が違う場合は、必ずしもこの方法に限るものではない。
【００２９】
１画素重複検索にて重複度が４００％未満の場合、メディア種を確認し（Ｓ２０）、そのメディア種についての限界値を越えているかどうかの判断を行う（Ｓ２１）。このような限界値を超える場合は、２値画像データの印刷が想定されたメディア種と、実際に印刷に利用されるメディア種とが何らかの理由で不一致となった場合に生じる。
【００３０】
判別方法は、図２の限界値テーブル１００に示された光沢フィルムが、実際に印刷に利用されるメディア種である場合を例にとって説明する。光沢フィルムの打ち込み限界は２０５％である。２０５％の判断を１画素重複検索で行なってしまうと１００％単位での検知しかできなくなるために、本実施の形態では単位面積あたりで濃度を判別する方式をとっている。ここでの単位面積とは、前述のプレーンの大きさである、３６インチ幅の１２８ライン単位にて判別する。具体的には、６プレーンの打ち込み総ドット数を算出し、合計の打ち込み量を算出し、合計の打ち込み量が２０５％より大きければ打ち込み量変更処理を行って打ち込み制限を行う（Ｓ２２）。
【００３１】
打ち込み量変更処理については、図８の打ち込み変更処理のフローチャートにて詳細説明を行う。図６は、本実施の形態における実際の置き換え変換を行う際にどのマスクパターンを使用するかを示した置き換え変換テーブル４００を示している。この置き換え変換テーブル４００は、ＲＯＭ上に定義されている。この例では、限界値は小さい方から「普通紙」「ＢＰＦ」「厚口コート紙」「コート紙」「光沢フィルム」「光沢紙」「フォト光沢紙」の順に大きくなる。前述のように、限界値が大きいほどメディア上の１画素のインク吐出地点に対して、多くのインク滴の打ち込みが許容される。本実施の形態では、メディア種の相違による限界値の差分に相当する分だけの打ち込み量の低減を行うためにマスクパターンを用いる。このようなマスクパターンを「差分マスクパターン」と呼ぶ。差分マスクパターンは、隣接する限界値を有するメディア種の間毎に、設けられる。これらの差分マスクパターンは、濃度の低減には、そのメディア種の限界値と超過濃度に応じて、予め用意された複数の差分マスクパターンの中から１または複数の差分マスクパターンを組み合わせて用いる。
【００３２】
具体的には、限界値１５０％を有する普通紙が指定されているときに、実際の画像データについてステップＳ２１で検出された単位面積当たりのメディア打ち込み量（濃度）が例えば１５０％を越えて１８０％以内であれば、ＢＰＦ差分マスクパターンを用いることにより、最大差分３０％だけ濃度を低減させることができる。限界値１８０％を有するＢＰＦが指定されているときに、実際の画像データについて検出されたメディア打ち込み量が例えば１８０％を越えて１９０％以内であれば、厚口コート紙差分マスクパターンを用いることにより、最大差分１０％だけ濃度を低減させることができる。ついで、限界値１９０％を有する厚口コート紙が指定されているときに、実際の画像データについて検出されたメディア打ち込み量が例えば１９０％を越えて２００％以内であれば、コート紙差分マスクパターンを用いることにより、最大差分１０％だけ濃度を低減させることができる。同様にして、限界値２１０％を有する光沢紙（または半光沢紙）が指定されているときに、実際の画像データについて検出されたメディア打ち込み量が例えば２１０％を越えて２２０％以内であれば、フォト光沢紙差分マスクパターンを用いることにより、最大差分１０％だけ濃度を低減させることができる。
【００３３】
各マスクパターンはこのように隣接する限界値を有するメディア種の間で適用されるが、さらに離れた（例えば隣の隣、隣の隣の隣、等々）関係のメディア種の間ではその間を隣接するメディア種で連結して、それぞれの隣接メディア種間のマスクパターンを重ねて適用する。例えば限界値２０５％の光沢フィルムが指定されている場合に、検出されたメディア打ち込み量が２１４％（２１０％を越えて２２０％以内）であった場合は、外部データは、フォト光沢紙として２値化されたデータであることを認識することになる。そのため、光沢フィルムからフォト光沢紙まで、その間を隣接するメディア種で連結すると、光沢フィルム−光沢紙−フォト光沢紙となり、それぞれの隣接メディア種間のマスクパターンである光沢紙差分マスクパターンとフォト光沢紙差分マスクパターンを併せて適用することにより、最大差分１５（＝２２０−２０５）％だけ濃度を低減させることができる。図６の置き換え変換テーブル４００では、指定されたメディア種が左端の欄に示され、その限界値を超える濃度が検出された場合に、当該指定メディアの行においてその検出濃度の属する範囲の列にある差分マスクパターンとその右側にあるすべての差分マスクパターン（存在すれば）を適用する。
【００３４】
別の例では、限界値１５０％を有する普通紙が指定されているときに、実際の画像データについて検出されたメディア打ち込み量が例えば１９０％を越えて２００％以内であれば、ＢＰＦ差分マスクパターンと厚口コート紙差分マスクパターンとコート紙差分パターンを用いることにより、最大差分５０（＝２００−１５０）％だけ濃度を低減させることができる。
【００３５】
図７は、各差分マスクパターンの具体的な構成例を示すマスクパターンテーブル５００を示している。この例では、図６の置き換え変換テーブル４００に対応する６個の差分マスクパターンを有し、各差分マスクパターンはさらに６色の各プレーンに対応するマスクパターンを含んでいる。この例では、各色のマスクパターンは１２８ビットのパターンである（図中“０ｘ”に続く数値は１６進数であり、便宜上、８桁の１６進数を４組で１２８ビットを表現している）。各色プレーンの１２８ドットのパターンのうち、それぞれ、何ドット間引くかによって、その差分マスクパターンのマスク量が定まる。間引くドット数が大きいほど、マスク量も大きくなる。具体的には例えば、普通紙の限界値１５０％に対してＢＰＦ紙の限界値は１８０％であり、その差は３０％である。すなわち、普通紙について１２８ドット当たりに許容される打ち込み量は１９２ドットであり、ＢＰＦ紙については２３０．４ドットである。すなわち、普通紙の方が許容打ち込み量は３８．４ドット分少ない。したがって、１８０％から１５０％まで３０％低減するには、全プレーンの合計で３８．４ドット分打ち込み量を削減する必要がある。これは１プレーンあたり３８．４／６＝約６ドットとなる。このようにして、各隣接メディア種間の各プレーン当たりの間引き数が求められる。
【００３６】
同じ差分マスクパターンについては、マスクドットを複数のプレーンに分散させることにより、なるべく元の画像の色味を変化させないようにしている。差分マスクパターンの内部データの設定に際しては、同色用の差分マスクパターン（図７において縦１列内の差分マスクパターン）の間引きドット位置は互いに重複しないように設定されている。これによって、複数の差分マスクパターンが併せて適用される場合でも間引きドット位置が重なることのないように保証されている。また、複数の差分マスクパターンを併せて適用する構成とすることにより、各メディア種について、低減すべき濃度量範囲ごとに別個のマスクパターンを用意する必要がなくなる。
【００３７】
図８は、図５に示したステップＳ２２に対応する、本実施の形態における打ち込み変更処理の具体例を示すフローチャートである。このフローチャートの処理の実行手順を表すプログラムはＲＯＭ１３のようなメモリ内に格納され、ＣＰＵ１１がこれを読み出して解釈実行することにより、この処理が実現される。
【００３８】
まず、プレーン上での単位領域内の打ち込み量を算出する（Ｓ３１）。算出方法は、前述した６色のプレーンメモリのビット検索にて行う。次に、当該画像データに対して差分マスクパターンを決定する（Ｓ３２）。使用する差分マスクパターンは印刷開始時にはメモリ内に「なし」に設定されている。プレーン上の打ち込み量算出時に限界値を越えたかどうか確認し（Ｓ３３）、もし超えていれば、「差分マスクパターン更新必要」と判断し、当該差分マスクパターンを特定する情報でＲＡＭ上の記憶を更新する（Ｓ３４）。その後、このマスクパターンを当該画像データ全体に対して繰り返し適用する（Ｓ３５）。
【００３９】
なお、ステップＳ３２において既に何らかの差分マスクパターンが指定されている場合は、その差分マスクパターンの限界値よりも実際の濃度が越えているかどうかの判断を行い（Ｓ３３）、越えていれば、差分マスクパターンの更新を行う（Ｓ３４）。このときの差分マスクパターンの更新の場合には、前述したような複数の差分マスクパターンを記憶することになる。
【００４０】
以上、本発明の好適な実施の形態について説明したが、上記で言及した以外にも種々の変形、変更を行うことが可能である。例えば、フルカラー印刷のために６色のインクを用いる例を示したが、必ずしもインク色の数は６色に限るものではない。
【図面の簡単な説明】
【００４１】
【図１】本発明のインクジェット記録装置の構成を示すブロック図である。
【図２】本発明のメディア種ごとの最大インク打ち込み限界値の一例を表した限界値テーブルを示す図である。
【図３】本発明の実施の形態において、受信した画像データに、１画素あたりに重複したインク種の吐出が存在する場合、特に打ち込み量４００％以上の画素が存在する場合の画像データの置き換えを行うためのデータテーブルの一例を示す図である。
【図４】本発明の実施の形態において、受信した画像データに、１画素あたりに打ち込み量２００％〜３００％の画素が存在する場合の画像データの置き換えを行うためのデータテーブルの一例を示す図である。
【図５】本発明の実施の形態における処理概要を示すフローチャートである。
【図６】本発明の実際の置き換え変換を行う際にどのマスクパターンを使用するかを示した置き換え変換テーブルを示す図である。
【図７】本発明の実施の形態における各差分マスクパターンの具体的な構成例を示すマスクパターンテーブルを示す図である。
【図８】図５に示したステップＳ２２に対応する、本実施の形態における打ち込み変更処理の具体例を示すフローチャートである。
【符号の説明】
【００４２】
１１…ＣＰＵ
１２…ＲＡＭ
１３…Ｆｌａｓｈメモリ
１４…インタフェース部
１５…表示装置
１６…キー操作部
１７…印刷部
１８…システムバス
１９…メディア搬送部
１００…限界値テーブル
２００…置き換えデータテーブル
３００…置き換えデータテーブル
４００…置き換え変換テーブル
５００…マスクパターンテーブル
【図１】
2007152776.tif 000003
【図２】
2007152776.tif 000004
【図３】
2007152776.tif 000005
【図４】
2007152776.tif 000006
【図５】
2007152776.tif 000007
【図６】
2007152776.tif 000008
【図７】
2007152776.tif 000009
【図８】
2007152776.tif 000010